(57)【要約】【課題】画像処理装置での読取結果をユーザが視認性及び操作性の点で容易に確認できるとともに、当該結果を画像処理装置に好適に登録する仕組みを提供する。【解決手段】本画像処理装置は、原稿を読み取った読取結果を、画像処理装置と通信可能な外部端末へ送信し、外部端末上でユーザに読取結果を確認させ、当該読取結果の確認結果を外部端末から受信して、読取結果を画像処理装置に登録する。【選択図】  図１１
2019029971.tif 000002
【特許請求の範囲】
【請求項１】
画像処理装置であって、
原稿を読み取る読取手段と、
前記読取手段による読取結果を、前記画像処理装置と通信可能な外部端末へ送信する送信手段と、
前記送信手段によって送信した前記読取結果の確認結果を前記外部端末から受信する受信手段と、
前記受信手段によって受信した確認結果に従って、前記読取手段によって読み取った情報を前記画像処理装置に登録する登録手段と
を備えることを特徴とする画像処理装置。
【請求項２】
前記読取手段による読取結果を確認するための装置として、前記画像処理装置又は前記外部端末を指定する指定手段をさらに備え、
前記送信手段は、前記指定手段によって前記外部端末が指定されている場合は、前記読取結果を前記外部端末へ送信し、前記指定手段によって前記画像処理装置が指定されている場合は、前記読取結果を前記外部端末へ送信しないことを特徴とする請求項１に記載の画像処理装置。
【請求項３】
前記指定手段によって前記画像処理装置が指定されている場合は、前記読取結果を前記画像処理装置の表示部に表示してユーザに確認を行わせる確認手段をさらに備えることを特徴とする請求項２に記載の画像処理装置。
【請求項４】
前記指定手段は、前記外部端末を指定する場合には、該外部端末の宛先情報を設定することを特徴とする請求項２又は３に記載の画像処理装置。
【請求項５】
前記送信手段は、前記読取結果を取得するための前記画像処理装置へのアクセス情報を前記外部端末へ送信し、前記外部端末が前記アクセス情報に従って前記画像処理装置へアクセスすると、前記読取結果を確認するための確認画面の画面情報を前記外部端末へ送信し、
前記受信手段は、前記確認画面を介したユーザ入力に応じて、前記確認結果を受信することを特徴とする請求項１乃至４の何れか１項に記載の画像処理装置。
【請求項６】
前記確認画面は、前記読取結果を修正可能に表示することを特徴とする請求項５に記載の画像処理装置。
【請求項７】
前記確認画面は、前記読取手段によって読み取った情報を前記画像処理装置に登録することを指示可能な表示を含み、
前記登録手段は、前記確認結果に前記画像処理装置に登録する指示が含まれる場合に、前記読取手段によって読み取った情報を前記画像処理装置に登録することを特徴とする請求項６に記載の画像処理装置。
【請求項８】
前記読取結果は、前記原稿に記載された宛先情報であって、前記読取手段によって読み取った情報から抽出した該宛先情報であり、
前記受信手段は、前記確認結果として、前記宛先情報の修正情報をさらに受信し、
前記登録手段は、前記宛先情報の修正情報を、前記読取手段によって読み取った情報に代えて登録することを特徴とする請求項７に記載の画像処理装置。
【請求項９】
前記原稿は、１以上の名刺を含むことを特徴とする請求項１乃至８の何れか１項に記載の画像処理装置。
【請求項１０】
画像処理装置の制御方法であって、
読取手段が、原稿を読み取る読取工程と、
送信手段が、前記読取工程による読取結果を、前記画像処理装置と通信可能な外部端末へ送信する送信工程と、
受信手段が、前記送信工程で送信した前記読取結果の確認結果を前記外部端末から受信する受信工程と、
登録手段が、前記受信工程で受信した確認結果に従って、前記読取工程で読み取った情報を前記画像処理装置に登録する登録工程と
を含むことを特徴とする画像処理装置。
【請求項１１】
画像処理装置の制御方法における各工程をコンピュータに実行させるためのプログラムであって、前記制御方法は、
読取手段が、原稿を読み取る読取工程と、
送信手段が、前記読取工程による読取結果を、前記画像処理装置と通信可能な外部端末へ送信する送信工程と、
受信手段が、前記送信工程で送信した前記読取結果の確認結果を前記外部端末から受信する受信工程と、
登録手段が、前記受信工程で受信した確認結果に従って、前記読取工程で読み取った情報を前記画像処理装置に登録する登録工程と
を含むことを特徴とするプログラム。
【請求項１２】
画像処理装置と、外部端末とが通信可能な画像処理システムであって、
前記画像処理装置は、
原稿を読み取る読取手段と、
前記読取手段による読取結果を、前記画像処理装置と通信可能な外部端末へ送信する送信手段と、
前記送信手段によって送信した前記読取結果の確認結果を前記外部端末から受信する受信手段と、
前記受信手段によって受信した確認結果に従って、前記読取手段によって読み取った情報を前記画像処理装置に登録する登録手段と、
を備え、
前記外部端末は、
前記送信手段によって送信された前記読取結果を確認するための確認画面を表示する表示手段と、
前記確認画面を介してユーザの確認結果を受け付ける確認手段と、
前記確認手段によって受け付けた確認結果を前記画像処理装置へ送信する手段と
を備えることを特徴とする画像処理システム。
【発明の詳細な説明】
【技術分野】
【０００１】
本発明は、読み取った原稿から得られたアドレス情報を画像処理装置のアドレス帳に登録するための方法に関する。
【背景技術】
【０００２】
名刺に記載されたアドレスや電話番号などの宛先情報を、画像処理装置（以下、ＭＦＰ（Multi-Function Peripheral）と称する。）が有するアドレス帳に登録する技術が知られている。例えば、特許文献１は、ＭＦＰで名刺をスキャンし、文字認識処理（ＯＣＲ（Optical Character Recognition）を行った後、操作パネルに結果を表示してユーザに確認させる技術を提案している。これは、ＯＣＲ処理による結果が必ずしも正確ではないため、ユーザがＯＣＲ処理による結果を確認してからアドレス帳へ登録するものである。
【先行技術文献】
【特許文献】
【０００３】
【特許文献１】特開２００９−１６４７１９号公報
【発明の概要】
【発明が解決しようとする課題】
【０００４】
しかしながら、上記従来技術には以下に記載する課題がある。例えば、ＭＦＰの操作パネル上に表示されるＯＣＲ処理による結果が誤っていた場合、操作パネルにおけるソフトキーボード又はハードテンキーを用いて、ＯＣＲ処理による結果に対して修正を行う必要がある。ＭＦＰの操作パネルは一般的には通常のＰＣのモニタ画面よりも小さく、文字の確認がＰＣに比べて容易ではない。また、ＭＦＰの操作パネルにおけるソフトキーボードも一般的にはキーが小さい。よって、このようにＯＣＲ処理による結果をＭＦＰに設けられた操作パネル上で確認／訂正することは、視認性、操作性について課題があった。
【０００５】
本発明は、上述の問題に鑑みて成されたものであり、画像処理装置での読取結果をユーザが視認性及び操作性の点で容易に確認できるとともに、当該結果を画像処理装置に好適に登録する仕組みを提供することを目的とする。
【課題を解決するための手段】
【０００６】
本発明は、画像処理装置であって、原稿を読み取る読取手段と、前記読取手段による読取結果を、前記画像処理装置と通信可能な外部端末へ送信する送信手段と、前記送信手段によって送信した前記読取結果の確認結果を前記外部端末から受信する受信手段と、前記受信手段によって受信した確認結果に従って、前記読取手段によって読み取った情報を前記画像処理装置に登録する登録手段とを備えることを特徴とする。
【発明の効果】
【０００７】
本発明によれば、画像処理装置での読取結果をユーザが視認性及び操作性の点で容易に確認できるとともに、当該結果を画像処理装置に好適に登録することができる。
【図面の簡単な説明】
【０００８】
【図１】画像処理システムの構成を示す図。
【図２】ＭＦＰ１０２のハード構成を示すブロック図。
【図３】ＭＦＰ１０２のソフト構成を示すブロック図。
【図４】アドレス帳８０３に登録される宛先のデータ構造を示す図。
【図５】ＭＦＰ１０２の操作パネル２０９に表示される宛先登録画面を示す図。
【図６】ＭＦＰ１０２の操作パネル２０９に表示されるワンタッチ登録画面を示す図。
【図７ａ】ＭＦＰ１０２の操作パネル２０９に表示される名刺読取画面を示す図。
【図７ｂ】ＭＦＰ１０２の操作パネル２０９に表示される読取完了通知の送信先設定画面を示す図。
【図７ｃ】ＭＦＰ１０２の操作パネル２０９に表示される名刺読取後のポップアップを示す図。
【図８】名刺読取完了通知メールを示す図。
【図９】ＭＦＰ１０２のリモートＵＩに表示される名刺読取結果の確認画面を示す図。
【図１０ａ】ＭＦＰ１０２の操作パネル２０９に表示される名刺読取結果の確認画面を示す図。
【図１０ｂ】ＭＦＰ１０２の操作パネル２０９に表示されるＦＡＸ新規宛先の登録画面を示す図。
【図１０ｃ】ＭＦＰ１０２の操作パネル２０９に表示されるＥメール新規宛先の登録画面を示す図。
【図１１】宛先登録時のＭＦＰ１０２の名刺読取フローを示す図。
【図１２】リモートＵＩから宛先確認・登録を行う場合の外部端末１０１のフローチャート。
【図１３】リモートＵＩから宛先確認・登録を受け付ける場合のＭＦＰ１０２のフローチャート。
【図１４】操作パネル２０９で宛先確認・登録を行う場合のＭＦＰ１０２のフローチャート。
【図１５】ＭＦＰ１０２が名刺読取時に一時的に保存する読取結果データ構造を示す図。
【発明を実施するための形態】
【０００９】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確立されるのであって、以下の個別の実施形態によって限定されるわけではない。
【００１０】
＜第１の実施形態＞
＜画像処理システムの構成＞
以下では、本発明の第１の実施形態について説明する。まず、図１を参照して、本実施形態に係る画像処理システムの構成例を説明する。本画像処理システムでは、外部端末１０１、及びＭＦＰ１０２がネットワーク２２０を介して接続された構成となっており、相互に通信可能である。なお、本発明を図１に示すシステムに限定する意図はなく、図１のシステム構成に加えて、複数の外部端末やＭＦＰ、或いは他の装置が含まれるように構成されてもよい。外部端末１０１は、ＭＦＰ１０２で読み取られた情報を取得して、ユーザが当該情報を確認するために提示を行う装置である。ＭＦＰ１０２は、名刺等の原稿を読み取って得た読取情報を外部端末１０１に送信し、ユーザの確認を行わせる。確認が取れた通知を外部端末１０１から受信すると、ＭＦＰ１０２は、当該読取情報を自装置に登録する。つまり、本システムでは、ＭＦＰ１０２で読み取った情報を、ユーザが確認を容易に行えるリモート装置（外部端末１０１）に送信し、確認が取れると、確認が取れた情報を自装置であるローカルに登録する。
【００１１】
＜ＭＦＰ１０２のハードウェア構成＞
次に、図２を参照して、本実施形態に係るＭＦＰ１０２のハードウェア構成の一例を説明する。ＭＦＰ１０２は、ＲＯＭ２０２又はＨＤＤ（ハードディスクドライブ）２１３に記憶されたソフトウェアを実行するＣＰＵ２０１を備える。ＣＰＵ２０１は、システムバス２２１に接続される各デバイスを総括的に制御する。なお、ＨＤＤ２１３は、場合によっては画像の一時記憶領域としても使われてよい。
【００１２】
２０３はＲＡＭであり、ＣＰＵ２０１の主メモリ、ワークエリア等として機能する。２０８は操作部コントローラであり、ＭＦＰ１０２に備えられた各種ボタン又は操作パネル２０９、ディスプレイ２１１等を制御する。２１２はディスクコントローラであり、ＨＤＤ２１３へのアクセスを制御する。
【００１３】
２０７はネットワークＩ／Ｆであり、ネットワーク２２０を介して、他のネットワーク機器又はファイルサーバ等と双方向にデータを送受する。２１４はプリンタであり、電子写真方式で実現される、紙への印字部である。印字方式は、特に電子写真方式でなくてもよい。２１５はスキャナであり、紙に印字された画像を読み込むための画像読取部である。多くの場合、スキャナ２１５にはオプションとしてＡＤＦ（オートドキュメントフィーダ）（不図示）が装着されており、複数枚の原稿を自動的に読み込むことができる。
【００１４】
２１６はＭＯＤＥＭであり、電話回線２１８から受信した変調された信号を復調したり、逆に装置からの信号を変調し電話回線２１８に送出したりするものである。ＮＣＵ（Network control unit）２１７は電話回線２１８と、ＦＡＸのインタフェース部分にあたり、電話回線２１８を介して受信する信号を検知してＭＯＤＥＭ２１６に伝えたり、電話回線２１８をＦＡＸや電話２１９に切り替えたりする回線制御を行う。
【００１５】
＜ソフトウェア構成＞
次に、図３を参照して、本実施形態におけるソフトウェア構成を説明する。図３は、ＭＦＰ１０２のソフトウェア構成と、ソフトウェアが管理するデータ領域を示す。アドレス帳８０３、ワンタッチ８０４、及びユーザアカウント８０７はソフトウェアがＲＡＭ２０３やＨＤＤ２１３に記録して管理するデータのデータ領域を示す。アドレス帳８０３、及びワンタッチ８０４には、宛先が格納されている。詳細については後述する。ユーザアカウント８０７にはユーザアカウント毎に権限設定やＥメールアドレスなどのデータが格納されている。
【００１６】
プラットフォーム８０８は、例えば、Ｌｉｎｕｘ（登録商標）等のオペレーティングシステムやＪＡＶＡ（登録商標）のバーチャルマシンやＯＳＧｉフレームワーク、デバイスドライバ群を含んで構成される。ＯＳＧｉフレームワークは、ＯＳＧｉ Ａｌｌｉａｎｃｅ（標準団体）が定義したＪＡＶＡ（登録商標）ベースのプラットフォームである。プラットフォーム８０８は、各種ハードウェアを制御するためのデバイスドライバを備えており、プラットフォーム上で動作するアプリケーションに対してハードウェアを利用するためのＡＰＩを提供する。プラットフォーム８０８は、ドライバとして、ネットワークドライバ８０９、プリンタドライバ８１３、スキャナドライバ８１１、及びＭＯＤＥＭドライバ８１２を備える。ネットワークドライバ８０９は、ネットワークＩ／Ｆ制御部２０７を制御する。プリンタドライバ８１３は、プリンタ２１４を制御する。スキャナドライバ８１１は、スキャナ２１５を制御する。ＭＯＤＥＭドライバ８１２は、ＭＯＤＥＭ２１６を制御する。
【００１７】
コピー８０１、及び送信８０２は、プラットフォーム８０８上で動作するアプリケーションであり、ディスプレイ２１１に各種機能を提供するためのユーザインタフェースを表示する。例えば、コピー８０１はプラットフォーム８０８を介してスキャナ２１５とプリンタ２１４を制御して、コピーを実行する。送信８０２はスキャナ２１５とネットワークＩ／Ｆ２０７又はＭＯＤＥＭ２１６を制御して読み込んだドキュメントデータをネットワーク２２０又は電話回線２１８に対して送信する機能を提供する。送信する際の宛先は新規に入力した宛先を利用したり、アドレス帳８０３に保存されている宛先を利用したりすることができる。
【００１８】
メニュー８００は、ディスプレイ２１１からアプリケーション（例えば、コピー、送信）を選択するためのメニューを表示するモジュールである。リモートＵＩ８０５は、ＭＦＰ１０２の設定を管理するユーザインタフェースなどを提供する。ログインサービス８０６は、ＭＦＰ１０２を利用するためのログイン機能を提供するモジュールである。
【００１９】
アドレス帳８０３は、複数の宛先表８１０と、一つのワンタッチ８０４とを含んで構成される。アドレス帳８０３からは、宛先表８１０に保存されている宛先、及びワンタッチ８０４に保存されている宛先を参照することが可能である。ワンタッチ操作からはワンタッチ８０４に保存されている宛先のみが参照可能である。なお、ここで、ワンタッチ操作とは、ＭＦＰ１０２に設けられた操作キーの１つを操作することにより、当該操作キーに紐づけられた所定の宛先を選択する操作をいう。
【００２０】
＜アドレス帳データ＞
次に、図４を用いて、宛先表８１０及びワンタッチ８０４に登録される宛先データの詳細を説明する。３００は宛先表８１０に登録されるＦＡＸ宛先の構造を示す。３０１は名称であり、ユーザが宛先を識別するために付ける名前である。当該名称は、人の名前や会社名など任意の文字列の登録が可能である。３０２は宛先表番号であり、どの宛先表（１〜ｎ）に登録されている宛先かを示す。３０３はＦＡＸ番号である。
【００２１】
また、ＦＡＸ宛先３００は以下の詳細情報を含む。３０４はＦコードであり、３０５はパスワードであり、それぞれ登録は任意である。３０６は送信スピードであり、ＦＡＸのＴ．３０規格で定められているスピードの中から選択可能である。３０７は回線選択であり、ＭＯＤＥＭ２１６が複数搭載されていて複数の電話回線２１８に接続可能な構成になっている場合は、回線選択３０７で送信に利用する回線番号を指定することが可能である。複数回線の中から送信時に利用可能な回線を自動的に選択する自動選択の設定も可能である。３０８はＦＡＸ送信時の誤り訂正モードＥＣＭ（Ｅｒｒｏｒ  Ｃｏｒｒｅｃｔｉｏｎ  Ｍｏｄｅ）の有効・無効の設定である。３０９は国際送信モードの指定である。デフォルトは国内送信モードになっているが、国際通信を行う宛先の場合は国際送信モードを設定することが可能になっている。国際通信の場合、電話回線上の音声遅延が大きかったり、回線の特性上高速通信だと安定したＦＡＸが行えなかったりするため、国際送信モードを設定すると、送信スピードの値を低速に固定したり、遅延対策のタイマーを延長したりするようになっている。
【００２２】
３１０は、ワンタッチ８０４に登録されるＦＡＸ宛先の構造を示す。３００のＦＡＸ宛先と異なるのは宛先表番号３０２がなく、その代わりにワンタッチ名称３１１があるところだけである。ワンタッチ名称３１１はワンタッチに表示される際の表示名称である。その他の情報は、ＦＡＸ宛先３００と同等であるため説明を省略する。
【００２３】
４００は、宛先表８１０に登録されるＥメール宛先の構造を示す。４０１は名称であり、ユーザが宛先を識別するために付ける名前である。人の名前や会社名など任意の文字列の登録が可能になっている。４０２は宛先表番号である。４０３はＥメールアドレスである。４０４はＥメール送信する際のデータ分割の有効・無効の設定である。これは、メールサーバにより、扱えるメール１件分の上限サイズが決まっており、それを超えるメールはサーバでエラーとなるため、これを回避するために指定サイズを超える場合に、１件のメールを分割して複数のメールにして送信するための設定である。
【００２４】
４１０は、ワンタッチ８０４に登録されるＥメール宛先の構造を示す。４００のＥメール宛先と異なるのは宛先表番号４０２が無く、その代わりにワンタッチ名称４１１を含むことである。その他の情報は、Ｅメール宛先４００と同等であるため説明を省略する。
【００２５】
＜ＭＦＰ１０２の宛先登録画面＞
次に、図５を参照して、ＭＦＰ１０２の宛先登録画面５００を説明する。図５に示す宛先登録画面５００において、５０６は宛先表示エリアである。宛先表示エリア５０６には、既に登録されている宛先が表示される。５０１は新規の宛先を登録するためのボタンである。この新規宛先登録ボタン５０１を操作すると、５０２の登録種別の選択画面が表示される。選択画面５０２にはＥメール宛先４００を登録するためのボタン５０３やＦＡＸ宛先３００を登録するためのボタン５０４などが表示される。また、選択画面５０２には、原稿として読み取る名刺から宛先を登録するための名刺読取ボタン５０５も表示される。名刺読取ボタン５０５を操作すると、図７で説明する名刺読取画面７００に遷移する。
【００２６】
＜ＭＦＰ１０２のワンタッチ登録画面＞
次に、図６を参照して、ＭＦＰ１０２のワンタッチ登録画面６００を説明する。図６に示すワンタッチ登録画面６００において、６０６はワンタッチ表示エリアである。６０１は新規のワンタッチ宛先を登録するためのボタンである。この新規登録ボタン６０１を操作すると、６０２の登録種別の選択画面が表示される。選択画面６０２には、Ｅメール宛先４１０を登録するためのボタン６０３やＦＡＸ宛先３１０を登録するためのボタン６０４などが表示される。また、選択画面６０２には、原稿として読み取る名刺から宛先を登録するための名刺読取ボタン６０５も表示される。名刺読取ボタン６０５を操作すると、図７で説明する名刺読取画面７００に遷移する。
【００２７】
＜ＭＦＰ１０２の名刺読取画面＞
次に、図７ａを参照して、ＭＦＰ１０２の名刺読取画面７００を説明する。７０１は名刺の読み取り結果を外部端末１０１で行う場合の読取完了通知の送信先設定を行うためのボタンである。この送信先設定７０１を操作すると、図７ｂの読取完了通知の送信先設定画面７１０に遷移する。７０２は名刺読取画面７００を閉じるためのボタンである。画面を閉じて戻る画面は、名刺読取画面７００の遷移元画面（宛先登録画面５００又はワンタッチ登録画面６００）である。
【００２８】
読取完了通知の送信先設定画面７１０にはアドレス帳８０３から送信宛先を設定するためのアドレス帳ボタン７１１と、ログインしているユーザに紐づく宛先をユーザアカウント８０７から取得して自動設定するための「自分へ送信」ボタン７１２がある。７１３は設定された送信宛先を表示する表示エリアである。表示エリア７１３に送信宛先が表示された状態でＯＫボタン７１５を操作すると、読取完了通知の送信先が確定して名刺読取画面７００に戻る。設定取消７１４を操作すると、設定した送信宛先をクリアして名刺読取画面７００に戻る。なお、ここでは、読取結果を外部端末１０１等のリモートで確認する場合の送信先の設定について説明しているが、本発明はこれに限定されず、ＭＦＰ１０２でも確認することができる。つまり、名刺読取画面７００において、ユーザは送信先設定７０１を操作することなくボタン７０２を操作すれることにより、ＭＦＰ１０２の操作パネル２０９上で確認を行うことができる。
【００２９】
図７ｃは読取完了通知の送信先設定７０１が設定されていた場合に、スキャン終了後にメッセージポップアップ７０３を表示する様子を示す。メッセージポップアップ７０３には、名刺の読取処理完了後に指定した通知先にＥメール送信を行うこと、そこに記載されたリモートＵＩのＵＲＬから確認及びＭＦＰ１０２に対して名刺からの読取情報を用いた宛先登録が行えることを示したメッセージを表示する。７０４はメッセージポップアップ７０３を閉じるためのＯＫボタンである。
【００３０】
＜名刺読取完了通知＞
次に、図８を参照して、名刺の読取完了通知の送信先設定７０１がなされている場合に、外部端末１０１に送信する完了通知メールの一例を説明する。８０００はメール本文領域であり、ここにＭＦＰ１０２によって名刺の読取が完了したことを示すメッセージ文と、ＭＦＰ１０２のリモートＵＩ８０５のＵＲＬ（アクセス情報）を表示する。さらに、このＵＲＬから読取結果の確認及び訂正と、その内容を用いてアドレス帳８０３に宛先登録が行える旨のメッセージ文を表示する。これによりユーザは本メールを開き、ＵＲＬをクリックするだけでリモートＵＩ８０５の読取結果の確認ページにアクセスすることが可能になるので、操作に迷うことがない。このような構成により、本実施形態に係る画像処理装置は、操作性の点において、ユーザフレンドリな操作体系を提供することができる。
【００３１】
＜外部端末１０１で表示する名刺読取結果の確認画面＞
次に、図９を参照して、リモートＵＩ８０５の名刺読取結果の確認画面９００を説明する。当該画面は、図８のメール本文領域８０００に記載されたＵＲＬへアクセスすることで、外部端末１０１の表示部で表示される画面である。確認画面９００は、ＭＦＰ１０２による読取結果を修正可能に表示するとともに、ユーザ入力に従ってＭＦＰ１０２に対して当該読取結果を登録するように指示可能な画面である。９０１は読み取った名刺の総数中、表示中の名刺が何番目かを示すラベルである。表示例は３枚読み取った中の３番目の名刺であることを示す。９０２は、読み取った画像である名刺のプレビュー画像である。９０３は名称部分の拡大プレビュー画像である。名称部分の切り出し方法については種々の方法が用いられてもよい。例えば、名刺の中で名称は一番大きなフォントで表示されることが多いため、その特性を利用して、フォントサイズから名称であることを判断して切り出してもよい。或いは、文字数なども合わせて判別材料としてもよい。なお、名称部分の判断は確実な条件がないため、候補を複数プルダウンで表示可能にしてもよい。９０４は名称部分のＯＣＲ処理結果のテキストを表示するテキストエリアである。ユーザはプレビュー画像９０２と結果９０４を比較して、誤っていれば９０４のテキストエリアを編集することが可能である。
【００３２】
９０５はＦＡＸ番号をＦＡＸ宛先３００としてアドレス帳８０３に登録するか否かを選択するチェックボックスである。チェックすることにより登録することができる。９０６はＦＡＸ番号部分の拡大プレビュー画像である。ＯＣＲ処理結果から”ＦＡＸ”及び数字列を含むエリアを抽出して表示する。９０７はＦＡＸ番号部分のＯＣＲ処理結果のテキストを表示するテキストエリアである。ここには”ＦＡＸ”は削除した上で表示する。なお、ＦＡＸ番号中に”−”（ハイフン）や括弧が含まれていることがあるが、９０７のテキスト表示エリアにはそのまま表示し、アドレス帳８０３登録時に削除するように制御してもよい。或いは、９０７のテキスト表示エリアに表示するタイミングで削除してもよい。ユーザはプレビュー画像９０６と結果９０７を比較して、誤っていれば９０７のテキストエリアを編集することが可能である。
【００３３】
９１０〜９１６はＦＡＸ宛先３００をアドレス帳８０３に登録する際に設定可能な登録項目群である。必須項目に関してはデフォルトの値を表示してもよい。９１０は、宛先表番号であり、ＦＡＸ宛先３００の宛先表番号３０２に対応している。９１１は、Ｆコードであり、ＦＡＸ宛先３００のＦコード３０４に対応している。９１２は、パスワードであり、ＦＡＸ宛先３００のパスワード３０５に対応している。９１３は、送信スピードであり、ＦＡＸ宛先３００の送信スピード３０６に対応している。９１４は、回線選択であり、ＦＡＸ宛先３００の回線選択３０７に対応している。９１５は、送信ＥＣＭ設定であり、ＦＡＸ宛先３００の送信ＥＣＭ設定３０８に対応している。９１６は、国際送信であり、ＦＡＸ宛先３００の国際送信３０９に対応している。なお、宛先表番号９１０で宛先表８１０ではなくワンタッチ８０４を選択すると、ワンタッチ名称の入力テキストエリア（不図示）を表示し、ＦＡＸ番号はワンタッチのＦＡＸ宛先３１０として登録される。
【００３４】
９１７は、取得されたＥメールアドレスをＥメール宛先４００としてアドレス帳８０３に登録するか否かを選択するチェックボックスである。チェックすることにより登録することができる。９１８はＥメールアドレス部分の拡大プレビュー画像である。ＯＣＲ処理結果の中から”E-mail”（又はそれと類する文字列）を含む文字列、又は”@”を含む文字列などの条件でＥメールアドレス部分の抽出を行う。９１９は、ＥメールアドレスのＯＣＲ処理結果のテキストを表示するテキストエリアである。ユーザはプレビュー画像９１８と結果９１９を比較して、誤っていれば９１９のテキストエリアを修正することが可能である。
【００３５】
９２１、９２２は、Ｅメールアドレス４００をアドレス帳８０３に登録する際に設定可能な登録項目群である。必須項目に関してはデフォルトの値を表示してもよい。９２１は、宛先表番号で、Ｅメール宛先４００の宛先表番号４０２に対応している。９２２は、データ分割設定で、Ｅメール宛先４００のデータ分割設定４０４に対応している。なお、宛先表番号９２１で宛先表８１０ではなくワンタッチ８０４を選択すると、ワンタッチ名称の入力テキストエリア（不図示）を表示し、ＥメールアドレスはワンタッチのＥメール宛先４１０として登録される。
【００３６】
９２３はＯＫボタンであり、確認及び訂正した宛先をＭＦＰ１０２のアドレス帳８０３に登録するためのボタンである。なお、本実施形態では、全ての名刺宛先を確認後、ＯＫボタン９２３により一括で登録する例を示すが、各宛先毎に登録するためのボタンを配置してもよい。
【００３７】
＜ＭＦＰ１０２で表示する名刺読取結果の確認画面＞
次に、図１０ａ乃至図１０ｃを参照して、名刺の読取結果確認を外部端末１０１ではなく、ＭＦＰ１０２で表示する場合に、操作パネル２０９に表示する名刺読取結果の確認画面を説明する。図１０ａは、確認画面１０００を示す。
【００３８】
確認画面１０００において、１００１は、原稿から読み取った名刺のプレビュー画像である。１００２は、名称部分の拡大プレビュー画像である。１００３は、名称部分のＯＣＲ処理結果のテキストを表示するテキストエリアである。ＦＡＸ宛先３００の名称３０１及びワンタッチ名称３１１に対応している。１００４は、１００３のテキストを編集するためにソフトキーボードを呼び出すための編集ボタンである。
【００３９】
１００５は、ＦＡＸ番号を宛先登録するか否かを選択するチェックボックスである。チェックすることで選択状態となり、後述する登録画面１０８０に遷移可能となる。１００６はＦＡＸ番号部分の拡大プレビュー画像である。１００７はＦＡＸ番号部分のＯＣＲ処理結果のテキストを表示するテキストエリアである。なお、ＦＡＸ番号に関しては操作パネル２０９に配置されているテンキー（不図示）を用いて編集できるようにしてもよい。１００７はＦＡＸ宛先のＦＡＸ番号３０３に対応している。１００８は１００７のテキストを編集するためにソフトキーボードを呼び出すための編集ボタンである。
【００４０】
１００９はＥメールアドレスを宛先登録するか否かを選択するチェックボックスである。チェックすることで選択状態となり、後述する登録画面１０９０に遷移可能となる。１０１０はＥメールアドレス部分の拡大プレビュー画像である。１０１１はＥメールアドレス部分のＯＣＲ処理結果のテキストを表示するテキストエリアである。１０１２は１０１１のテキストを編集するためにソフトキーボードを呼び出すための編集ボタンである。
【００４１】
１０１３はキャンセルボタンであり、確認・登録処理を途中で中断して遷移元の画面に戻るためのボタンである。本実施形態ではキャンセルボタン１０１３を操作すると宛先登録画面５００又はワンタッチ登録画面６００に戻る。１０１４は戻るボタンであり、ひとつ前の名刺読取結果の画面に戻るためのものである。１０１５は次へボタンであり、ＦＡＸ及びＥメールの新規宛先の登録画面に遷移するためのボタンである。ＦＡＸ宛先を登録するか否かの１００５のチェックボックスがＯＮになっている場合はＦＡＸの新規宛先の登録画面１０８０に遷移し、遷移後の画面に名称１００３及びＦＡＸ番号１００７の値をセットする。ＦＡＸの新規宛先の登録画面１０８０では、名刺からは取得できないその他の属性を必要に応じて宛先表選択リスト１０８１及び詳細情報ボタン１０８２から設定可能になっている。詳細情報ボタン１０８２で設定可能な項目はＦＡＸ宛先３００の３０４〜３０９の項目である。詳細情報ボタン１０８２押下後の画面については、説明及び図示を省略する。ＯＫボタン１０８３を押下するとＦＡＸ宛先３００がアドレス帳８０３に登録される。
【００４２】
名刺読取結果の確認画面１０００でＥメール宛先を登録するか否かの１００９のチェックボックスがＯＮにされている場合、確認画面１０００又は登録画面１０８０から、Ｅメールの新規宛先の登録画面１０９０に遷移する。遷移後の画面には、名称１００３及びＥメールアドレス１０１１の値が表示される。Ｅメールの新規宛先の登録画面１０９０においても、名刺から取得できないその他の属性を必要に応じて宛先表選択リスト１０９１及びデータ分割１０９２から設定可能になっている。ＯＫボタン１０９３を押下するとＥメール宛先４００がアドレス帳８０３に登録される。
【００４３】
なお、ＦＡＸの新規宛先の登録画面１０８０及びＥメールの新規宛先の登録画面１０９０において、それぞれでキャンセルボタン１０８４、１０９４を操作すると、名刺読取結果の確認画面１０００に戻る。
【００４４】
上述したように、外部端末１０１に表示される確認画面９００の表示内容が、ＭＦＰ１０２で表示される場合、確認画面１０００と、２つの登録画面１０８０、１０９０に分割されて表示される。これは、一般的には、外部端末１０１等のＰＣのディスプレイの表示サイズと、ＭＦＰ１０２の操作パネル２０９の表示サイズとの差分に起因する。即ち、ＭＦＰ１０２の操作パネル２０９は、操作部に設けられた小型の液晶ディスプレイであり、ＰＣのディスプレイと比較して解像度や表示サイズの劣るものである。従って、ユーザは、視認性及び操作性の点で、ＭＦＰ１０２のディスプレイで読取結果を確認するよりも、ＰＣ等の外部端末１０１で確認を行う方が、より向上した操作体系を享受することができる。
【００４５】
＜ＭＦＰ１０２で名刺読取を行う処理フロー＞
次に、図１１を参照して、宛先登録画面５００から名刺読取で宛先を登録するためにＭＦＰ１０２で名刺読取を行う際の処理手順を説明する。なお、この一連の処理は、以下に示す手順を記述したＭＦＰ１０２が実行可能なプログラムを、ＲＯＭ２０２からＲＡＭ２０３上に読み込んだ後に、ＣＰＵ２０１によって当該プログラムを実行することによって実現される。
【００４６】
まず、Ｓ１１０１で、ＭＦＰ１０２の操作部コントローラ２０８は、操作パネル２０９に宛先登録画面５００を表示する。その後、Ｓ１１０２で、操作部コントローラ２０８は、名刺読取ボタン５０５の押下を検出すると、操作パネル２０９に名刺読取画面７００を表示し、変数の確認場所フラグを「ＭＦＰ」で初期化する。ここで、確認場所フラグとは、ＭＦＰ１０２で原稿から読み取った読取結果を確認する装置を示す情報を定義するフラグであり、ＲＡＭ２０３に格納される。本実施形態において、確認場所フラグには、「ＭＦＰ」と「外部端末」とを指定できるが、その他の装置を指定できるようにしてもよい。Ｓ１１０３で、操作部コントローラ２０８は、読取完了通知の送信先設定ボタン７０１の押下を検出したか否かを判定し、検出すると、読取完了通知の送信先設定画面７１０を表示して送信宛先の設定処理を行う。
【００４７】
Ｓ１１０５で、操作部コントローラ２０８は、送信先設定画面７１０のＯＫボタン７１５が選択されたか否かを判定する。ＯＫボタン７１５で終了した場合Ｓ１１０６に進む。なお、ここでは、Ｓ１１０４の設定処理において、通知宛先として、外部端末１０１で受信可能なＥメールアドレスが設定されたこととする。Ｓ１１０６で、ＣＰＵ２０１は、設定内容に従って、読取結果の確認場所フラグを「外部端末」に更新し、Ｓ１１０７に進む。Ｓ１１０４の処理を設定取消で終わった場合は確認場所フラグの更新はせずにＳ１１０７に進む。
【００４８】
Ｓ１１０７で、操作部コントローラ２０８は、スタートキー押下の検出を行う。押下が検出されない場合はＳ１１０３に戻る。押下が検出されるとＳ１１０８に進み、ＣＰＵ２０１は、スキャナ２１５を制御して原稿台に載置された原稿（例えば、１以上の名刺）を読み取り、得られた画像をＨＤＤ２１３に保存する。続いて、Ｓ１１０９で、ＣＰＵ２０１は、得られた画像に対して画像濃淡情報などから名刺画像のエッジ検出を行い、１枚ずつ名刺画像を切り出して、得られた名刺画像をＨＤＤ２１３に保存する。
【００４９】
次に、Ｓ１１１０で、ＣＰＵ２０１は、変数Ｎを１で初期化し、ＮがＳ１１０９で得られた名刺画像数を超えるまでＳ１１１１に示すループ処理を実行する。Ｓ１１１１のループ処理では、Ｓ１１１２で、ＣＰＵ２０１は、Ｎ枚目の名刺画像に対してＯＣＲ処理を実施し、得られたテキスト情報をＲＡＭ２０３に記憶する。具体的には、ＣＰＵ２０１は、図９で説明したように、取得した文字情報の中から、名称とＦＡＸ番号、Ｅメールアドレスに当たる部分の抽出も行う。取得した値を図１５に示す読取結果データ構造１５００にしてＲＡＭ２０３に記憶する。読取結果データ構造１５００中の１５０１は名刺から読み取られた名称テキストを保存する領域である。名称は複数の候補を保存する場合があるため領域を複数設けている。１５０２はＦＡＸ番号を保存する領域で、１５０３はＥメールアドレスを保存する領域である。１５０２と１５０３もそれぞれ複数の候補を保存できるようにしてもよい。なお、読取結果データ構造１５００のデータはＭＦＰ１０２で処理可能な名刺の枚数分用意される。
【００５０】
続いて、Ｓ１１１１のループ処理におけるＳ１１１３で、ＣＰＵ２０１は、Ｎが１か否かを判定し、１であればＳ１１１４に進み、確認場所フラグの値を判定する。「ＭＦＰ」であればＳ１１１５に進む。Ｓ１１１５で、操作部コントローラ２０８は、読取結果をＭＦＰ１０２の操作パネル２０９上で確認させるべく、名刺読取結果の確認画面１０００を表示する。読取結果の確認をＭＦＰ１０２で行う場合は、このように、１枚目の名刺読取処理が終わった時点で確認画面を表示し、ユーザが確認を行っている間に、２枚目以降の名刺の読取処理をバックグラウンドで行う。名刺読取結果の確認画面１０００にて値の確認及び登録を行う場合のフローに関しては図１４を用いて後述する。一方、確認場所フラグが「外部端末」であった場合は確認を外部端末１０１にてリモートＵＩ８０５から行うので、Ｓ１１１５は行わず、Ｓ１１１６に進む。Ｓ１１１６で、ＣＰＵ２０１は、Ｎの値をインクリメントしループ処理Ｓ１１１１の先頭に戻る。
【００５１】
ループ処理Ｓ１１１１が終わると、Ｓ１１１７で、ＣＰＵ２０１は、再度確認場所フラグの値を判定し、「外部端末」であった場合はＳ１１１８に進む。Ｓ１１１８で、ＣＰＵ２０１は、本文に図８のメール本文８０００で示した内容を設定し、宛先にはＳ１１０４で設定された通知宛先を指定したＥメールを作成し、ネットワークＩ／Ｆ２０７を通じてネットワーク２２０にメール送信を行う。続いて、Ｓ１１１９で、ＣＰＵ２０１は、操作パネル２０９に表示中の名刺読取画面７００上に、読取処理完了後に指定宛先に通知を行う旨のメッセージポップアップ７０３を表示して処理を終了する。Ｓ１１１７で確認場所フラグがＭＦＰであった場合はそのまま何もせずに処理を終了する。
【００５２】
＜外部端末１０１で完了通知を受信して名刺読取結果を確認する場合の処理フロー＞
次に、図１２を参照して、名刺読取完了通知を受信してから宛先登録を行うまでの外部端末１０１の処理フローを説明する。なお、以下で説明する処理は、外部端末１０１のＣＰＵがＲＯＭ等に格納された制御プログラムをＲＡＭに読み出して実行することにより実現する。
【００５３】
Ｓ１２００で、外部端末１０１のＣＰＵは、ネットワーク２２０から完了通知のＥメールを受信する。続いて、Ｓ１２０１で、外部端末１０１は、ユーザ操作に従って、受信したＥメールの本文に記載されているＵＲＬをブラウザで開く。そして、Ｓ１２０２で、外部端末１０１のＣＰＵは、名刺読取結果の修正処理を受け付けたか否かを判定する。名刺読取結果の名称９０４、ＦＡＸ番号９０７、Ｅメールアドレス９１９の訂正処理を受け付けた場合、Ｓ１２０３に進み、そうでない場合はＳ１２０４に進む。Ｓ１２０３で、外部端末１０１のＣＰＵは、修正された値で対応する項目を更新し、Ｓ１２０４に進む。
【００５４】
Ｓ１２０４でＯＫボタン９２３の押下を受け付けると、Ｓ１２０５で、外部端末１０１のＣＰＵは、ＭＦＰ１０２に対して、ネットワーク２２０を通じて宛先登録のリクエストを送信する。宛先登録のリクエストは、ＦＡＸ宛先の場合は図４で示したＦＡＸ宛先３００又はワンタッチのＦＡＸ宛先３１０の属性値を含み、Ｅメール宛先の場合は同じく図４で示したＥメール宛先４００又はワンタッチのＥメール宛先４１０の属性値を含む。続いて、Ｓ１２０６で、外部端末１０１のＣＰＵは、ネットワーク２２０を通じてＭＦＰ１０２から宛先登録の応答を受信すると、Ｓ１２０７で、その結果をブラウザのリモートＵＩ画面に表示し、処理を終了する。
【００５５】
＜外部端末１０１からリモートＵＩ８０５のリクエストを受信した場合の処理フロー＞
次に、図１３を参照して、ＭＦＰ１０２が外部端末１０１からリモートＵＩ８０５のリクエストを受信した場合の処理フローを説明する。なお、この一連の処理は、以下に示す手順を記述したＭＦＰ１０２が実行可能なプログラムを、ＲＯＭ２０２からＲＡＭ２０３上に読み込んだ後に、ＣＰＵ２０１によって当該プログラムを実行することによって実現される。
【００５６】
Ｓ１３００で、ＣＰＵ２０１は、外部端末１０１から送信されたリモートＵＩ８０５の名刺読取結果の確認画面９００の表示リクエストをネットワークＩ／Ｆ２０７によって検出する。そして、Ｓ１３０１で、ＣＰＵ２０１は、リモートＵＩ８０５で画面表示のレスポンス（画面情報）を生成し、ネットワークＩ／Ｆ２０７からネットワーク２２０に応答を返す。この画面表示のレスポンスには、読み取った名刺のプレビュー画像や、名称、ＦＡＸ番号、ＥメールアドレスのＯＣＲ結果、さらに、それぞれの画像領域を切り出した画像が含まれる。
【００５７】
次に、Ｓ１３０２で、ＣＰＵ２０１は、外部端末１０１から送信された確認結果である、リモートＵＩ８０５の宛先登録リクエスト（指示）をネットワークＩ／Ｆ２０７にて検出する。そして、Ｓ１３０３で、ＣＰＵ２０１は、受信した宛先数と既にＨＤＤ２１３に保存されているアドレス帳８０３の宛先数をチェックし、登録可能な宛先上限数を超えないかどうかをチェックする。超えないと判断された場合はＳ１３０４に進み、ＣＰＵ２０１は、受信した宛先データを全てＨＤＤ２１３に保存し、Ｓ１３０５で、ネットワークＩ／Ｆ２０７を通じて外部端末１０１に登録ＯＫの応答を返して処理を終了する。ここで、受信した宛先データは、外部端末１０１の表示を介して確認された確認結果である。従って、宛先データ（宛先情報）が修正された場合は、当該修正情報も含まれ、さらには、読取結果をＭＦＰ１０２に登録することを指示する情報も含まれる。一方、登録可能な宛先上限数を超えると判断された場合はＳ１３０６に進み、ＣＰＵ２０１は、外部端末１０１に対してネットワークＩ／Ｆ２０７を通じて宛先上限エラー応答を返し、処理を終了する。
【００５８】
＜読取結果をＭＦＰ１０２の操作パネル２０９上で確認する場合の処理フロー＞
次に、図１４を参照して、名刺の読取結果をＭＦＰ１０２の操作パネル２０９上で確認する場合のＭＦＰ１０２の処理フローを説明する。なお、この一連の処理は、以下に示す手順を記述したＭＦＰ１０２が実行可能なプログラムを、ＲＯＭ２０２からＲＡＭ２０３上に読み込んだ後に、ＣＰＵ２０１によって当該プログラムを実行することによって実現される。本処理フローは操作パネル２０９に名刺読取結果の確認画面１０００が表示された状態から始まる。
【００５９】
まず、Ｓ１４００で、ＣＰＵ２０１は、変数Ｎを１で初期化する。そして変数Ｎが読み取られた名刺数を超えるまで以下に示すＳ１４０１のループ処理を実行する。
【００６０】
まず、Ｓ１４０２で、操作部コントローラ２０８は、名刺読取結果の修正処理を受け付けたか否かを判定する。ここで、操作部コントローラ２０８は、名称の編集ボタン１００４、ＦＡＸ番号の編集ボタン１００８、及びＥメールアドレスの編集ボタン１０１０の何れかの押下を検出すると、修正処理を受け付けたと判断し、Ｓ１４０３に進む。そうでない場合はＳ１４０４に進む。Ｓ１４０３で、操作部コントローラ２０８は、ソフトキーボードを表示してテキストの修正を可能にする。ソフトキーボードで修正が確定されると保持していたテキストを更新する。その後、Ｓ１４０４で、操作部コントローラ２０８は、宛先の登録指示を受け付けたか否かを判定する。「次へ」ボタン１０１５の押下を検出しない間は、Ｓ１４１５で、操作部コントローラ２０８は、戻る、又はキャンセルの指示を受け付けたか否かを判定し、戻る指示を受け付けた場合は、Ｓ１４１６で、変数ＮにＮ−１を設定し、ループの先頭に戻る。ただし、戻るボタン１４１４が押下可能になるのはＮが２以上の場合である。キャンセルの指示を受け付けた場合は、ループを抜けてＳ１４１４に進む。また、戻る及びキャンセルの両方を受け付けていない場合は、変数Ｎを更新することなく、そのままループの先頭に戻る。
【００６１】
一方、Ｓ１４１４で「次へ」ボタン１０１５の押下を検出すると、Ｓ１４０５に進み、操作部コントローラ２０８は、ＦＡＸ宛先を登録するか否かのチェックボックス１００５がＯＮにされているかを判定する。チェックがＯＮの場合はＳ１４０６に進み、操作部コントローラ２０８は、操作パネル２０９にＦＡＸの新規宛先の登録画面１０８０を表示する。一方、当該チェックがＯＦＦの場合はＳ１４０９に進む。
【００６２】
Ｓ１４０６でＦＡＸ新規宛先の登録画面１０８０の表示が終わると、宛先表番号等の追加情報の設定が可能になるが、追加情報の設定に関する処理フローは割愛する。続いて、Ｓ１４０７で、操作部コントローラ２０８は、宛先登録指示であるＯＫボタン１０８３が押下されたか否かを判定することにより、登録指示を受け付けたか否かを判定する。ＯＫボタン１０８３の押下が検出された場合は、Ｓ１４０８に進み、ＣＰＵ２０１は、ＦＡＸ宛先をＨＤＤ２１３のアドレス帳８０３に保存する。既に宛先数が最大限に達していた場合は、ＣＰＵ２０１は、ＦＡＸ宛先をアドレス帳８０３には保存せず、操作部コントローラ２０８によって表示パネル２０９にエラー表示を行う。また、Ｓ１４０７でキャンセルボタン１０８４の押下が検出されると、宛先保存は行わず、Ｓ１４０９に進む。
【００６３】
Ｓ１４０９で、操作部コントローラ２０８は、Ｅメール宛先を登録するか否かのチェックボックス１００９がＯＮにされているかを判定する。ＯＮにされていた場合はＳ１４１０に進み、操作部コントローラ２０８は、操作パネル２０９にＥメールの新規宛先の登録画面１０９０を表示する。チェックがＯＦＦの場合はＳ１４１３に進む。
【００６４】
Ｓ１４１０でＥメールの新規宛先の登録画面１０９０の表示が終わると、宛先表番号等の追加情報の設定が可能になるが、追加情報の設定に関する処理フローは割愛する。続いて、Ｓ１４１１で、操作部コントローラ２０８は、宛先登録指示であるＯＫボタン１０９３が押下されたか否かを判定することにより、登録指示を受け付けたか否かを判定する。ＯＫボタン１０９３の押下が検出された場合はＳ１４１２に進み、ＣＰＵ２０１は、Ｅメール宛先をＨＤＤ２１３のアドレス帳８０３に保存する。既に宛先数が最大限に達していた場合は、Ｅメール宛先をアドレス帳８０３には保存せず、ＣＰＵ２０１は、操作部コントローラ２０８によって表示パネル２０９にエラー表示を行う。また、Ｓ１４１１でキャンセルボタン１０９４の押下が検出されると、宛先保存は行わず次のＳ１４１３に進む。
【００６５】
Ｓ１４１３で、ＣＰＵ２０１は、変数Ｎの値をインクリメントし、処理ループの先頭に戻る。なお、処理ループ（Ｓ１４０１）が終わると、Ｓ１４１４に進み、操作部コントローラ２０８は、操作パネル２０９に遷移元画面である宛先登録画面５００を表示して処理を終了する。
【００６６】
以上説明したように、本画像処理装置は、原稿を読み取った読取結果を、画像処理装置と通信可能な外部端末へ送信し、外部端末上でユーザに読取結果を確認させ、当該読取結果の確認結果を外部端末から受信して、読取結果を画像処理装置に登録する。このように、本実施形態に係る画像処理装置は、ユーザが読取結果を操作性及び視認性の点で容易に確認することが可能なリモート装置である外部端末で行わせ、さらに当該外部端末から画像処理装置へ当該読取情報を登録することを指示できるようにすることができる。つまり、本実施形態によれば、ＯＣＲ処理による結果の確認を、表示領域が画像処理装置よりも大きい外部端末のモニタ上で行うことができるようになるため視認性が向上する。さらに画像処理装置よりも操作勝手の良い外部端末のハードキーボードにてＯＣＲ処理結果の訂正ができるようになるため操作性が向上する。よって、名刺をスキャンして得られた画像から宛先情報を取得して画像処理装置のアドレス帳に登録するための操作を簡単にし、誤操作の発生を抑制することが可能になる。
【００６７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１０１：外部端末、１０２：ＭＦＰ、２０１：ＣＰＵ、２０２：ＲＯＭ、２０３：ＲＡＭ、２０７：ネットワークＩ／Ｆ、２０８：操作部コントローラ、２０９：操作パネル、２１１：ディスプレイ、２１２：ディスクコントローラ、２１３：ＨＤＤ、２１４：プリンタ、２１５：スキャナ、２１６：ＭＯＤＥＭ、２１７：ＮＣＵ、２１８：電話回線、２１９：電話機、２２０：ネットワーク
【図１】
2019029971.tif 000003
【図２】
2019029971.tif 000004
【図３】
2019029971.tif 000005
【図４】
2019029971.tif 000006
【図５】
2019029971.tif 000007
【図６】
2019029971.tif 000008
【図７ａ】
2019029971.tif 000009
【図７ｂ】
2019029971.tif 000010
【図７ｃ】
2019029971.tif 000011
【図８】
2019029971.tif 000012
【図９】
2019029971.tif 000013
【図１０ａ】
2019029971.tif 000014
【図１０ｂ】
2019029971.tif 000015
【図１０ｃ】
2019029971.tif 000016
【図１１】
2019029971.tif 000017
【図１２】
2019029971.tif 000018
【図１３】
2019029971.tif 000019
【図１４】
2019029971.tif 000020
【図１５】
2019029971.tif 000021